(57)【特許請求の範囲】
【請求項１】
浴槽からの排水と該浴槽が設置される浴槽床パンからの排水とが流れる浴槽側排水トラップ部を備えた浴室の排水構造であって、前記浴槽側排水トラップ部は、有底筒状をしてその壁面に排水口を有する外筒と、外筒の上開口を閉塞する天蓋部と、天蓋部から垂下されて外筒の内側に配設されると共にその下端と外筒底面との間に間隙が形成される封水内筒とを備え、天蓋部の封水内筒内に対応する部分に浴槽排水の流入口と浴槽床パン排水の流入口とを別々に形成し、天蓋部の前記浴槽床パン排水の流入口の周縁より垂下されると共に、その先端部が外筒の排水口に接続される出口管路部に沿って該出口管路部に挿入される浴槽床パン排水用内筒を設けて成ることを特徴とする浴室の排水構造。
【請求項２】
浴槽床パン排水内筒の出口管路部に挿入される部分を可撓性を有する軟質部材で形成して成ることを特徴とする請求項１記載の浴室の排水構造。
【請求項３】
封水内筒と浴槽床パン排水内筒とを備え外筒に上方より取付け可能とした内筒部材を形成して成ることを特徴とする請求項２記載の浴室の排水構造。
【発明の詳細な説明】
【技術分野】
【０００１】
本発明は、浴室の排水構造に関し、詳しくは浴槽からの排水と浴槽が設置される浴槽床パンからの排水とを排出する排水トラップを備えた浴室の排水構造に関するものである。
【背景技術】
【０００２】
従来から浴室ユニットなどの浴室における排水としては、浴槽側の排水、浴槽を設置している浴槽床パンからの排水、洗い場側の排水等の排水があり、いずれの排水にあたっても、排水トラップにより封水して臭気の逆流、虫などの侵入を防止する必要がある。
【０００３】
従来は浴槽側の排水が流れる浴槽側排水トラップ部に浴槽床パンからの排水を流すように構成し、洗い場側の排水を流す洗い場側排水トラップ部に外部に排水するための排水管を接続していた。そして、浴槽からの排水、浴槽床パンからの排水のいずれも浴槽側排水トラップ部から洗い場側排水トラップ部を介して排水管に排水し、また洗い場側の排水は洗い場側排水トラップ部から排水管に排水するようにしていた（例えば特許文献１参照）。浴槽側排水トラップ部には、浴槽からの排水と浴槽が設置してある浴槽床パンからの排水とが流入し、洗い場側排水トラップ部には、洗い場床パンからの排水が流入するようになっている。
【０００４】
この特許文献１に示されるものにおいては、洗い場側排水トラップ部は二重筒構造となっていて、その内筒が臭気の侵入を阻止する隔壁となっているが、浴槽側排水トラップ部にはこのような構成はない。すなわち、浴槽側排水トラップ部は洗い場側排水トラップ部に至る流路までを含めてトラップが構成されており、浴槽側排水トラップ部の内筒は上方から流入する浴槽からの排水と浴槽床パンからの排水とを隔てているだけで臭気の侵入を阻止する隔壁ではないものであった。このため、浴槽側排水トラップ部だけでもトラップが形成されるように洗い場側排水トラップ部と同様の内筒を設けたものが製作された。
【０００５】
浴槽からの排水が浴槽側排水トラップ部に流入する流入口は直接浴槽内と連通接続されると共に浴槽床パンからの排水が流入する流入口は浴槽床パンの底面上に開放されるため、これらの流入口と流入後の流路は別々に形成されるもので、浴槽側排水トラップ部の天蓋部の浴槽床パンからの排水の流入口の周縁より浴槽床パン排水用内筒を垂下してその内部を浴槽床パン排水の流路としていた。
【０００６】
浴槽側排水トラップ部からの排水は、外筒の壁面に形成した排水口を介して該排水口に接続された出口管路部より排出されるが、浴槽排水の流入口から流入した排水と浴槽床パン排水の流入口から流入した排水とが合流する時の流れの方向が異なると、流れが妨げられて排水効率が下がるものであった。
【特許文献１】特開２００３−５６０３６号公報
【発明の開示】
【発明が解決しようとする課題】
【０００７】
本発明は上記の従来の問題点に鑑みて発明したものであって、その目的とするところは、浴槽排水と浴槽床パン排水の流入口および流入後の流路を別々に形成した浴槽側排水トラップ部を備えた浴室の排水構造において、前記浴槽排水と浴槽床パン排水の流入口より別々に流入して各流路を流れた流れが合流する時に流れの方向が異なって排水効率が下がってしまうことのない浴室の排水構造を提供することを課題とするものである。
【課題を解決するための手段】
【０００８】
上記課題を解決するために本発明の請求項１に係る浴室の排水構造は、浴槽１からの排水と該浴槽１が設置される浴槽床パン２１からの排水とが流れる浴槽側排水トラップ部３を備えた浴室の排水構造であって、前記浴槽側排水トラップ部３は、有底筒状をしてその壁面に排水口３０を有する外筒３１と、外筒３１の上開口を閉塞する天蓋部３２と、天蓋部３２から垂下されて外筒３１の内側に配設されると共にその下端と外筒底面３１ｂとの間に間隙３５が形成される封水内筒３３とを備え、天蓋部３２の封水内筒３３内に対応する部分に浴槽排水の流入口３２ａと浴槽床パン排水の流入口３２ｂとを別々に形成し、天蓋部３２の前記浴槽床パン排水の流入口３２ｂの周縁より垂下されると共に、その先端部が外筒３１の排水口３０に接続される出口管路部６に沿って該出口管路部６に挿入される浴槽床パン排水用内筒３４を設けて成ることを特徴とするものである。
【０００９】
このような構成とすることで、浴槽排水の流入口３２ａから流入した排水と浴槽床パン排水の流入口３２ｂから流入した排水とが合流する時の流れの方向を同じにすることが可能となる。
【００１０】
また本発明の請求項２に係る発明は、請求項１に係る発明において、浴槽床パン排水用内筒３４の出口管路部６に挿入される部分を可撓性を有する軟質部材で形成して成ることを特徴とするものである。
【００１１】
このような構成とすることで、浴槽床パン排水用内筒３４の先端部を排水口３０より出口管路部６内に挿入し易くなる。
【００１２】
また本発明の請求項３に係る発明は、請求項２に係る発明において、封水内筒３３と浴槽床パン排水用内筒３４とを備え外筒３１に上方より取付け可能とした内筒部材３を形成して成ることを特徴とするものである。
【００１３】
このような構成とすることで、浴槽床パン２１の下方に配置した外筒３１に浴槽床パン２１の上方よりその浴槽床パン排水用内筒３４の先端部を排水口３０に向けて押し込むことで取り付けができる。
【発明の効果】
【００１４】
本発明は、浴槽排水と浴槽床パン排水の流入口および流入後の流路を別々に形成した浴槽側排水トラップ部を備えた浴室の排水構造において、浴槽排水の流入口から流入した排水と浴槽床パン排水の流入口から流入した排水とが合流する時の流れの方向を同じにして流れが妨げられないようにできて、排水効率が下がるのを防止することが可能となる。
【発明を実施するための最良の形態】
【００１５】
以下、本発明を添付図面に示す実施形態に基いて説明する。
【００１６】
図１〜図８は本発明の一実施形態を示す。
【００１７】
浴室を構成する浴室ユニットは、浴槽１を設置する浴槽床パン２１と、洗い場床パン２２とで構成される床パンの周囲に、壁パネル及びドアを有する出入り口枠とを設置し、壁パネル及び出入り口枠で囲まれた部分の上端部に天井パネルを配設して構成してある。
【００１８】
浴室ユニットからの排水は、浴槽１からの湯水の排水、浴槽１を設置する浴槽床パン２１からの湯水の排水、洗い場床パン２２からの湯水の排水の３種類の排水があり、本発明においては、この３種類の排水が流れる２種類の排水トラップ、つまり、浴槽１からの排水と浴槽床パン２１からの排水とが流れる浴槽側排水トラップ部３と、洗い場床パン２２からの排水が流れる洗い場側排水トラップ部８とを備えている。
【００１９】
洗い場床パン２２と浴槽床パン２１とを備えた床パンの下方には、排水ユニットが設けられている。本実施形態の排水ユニットは、浴槽１からの排水を受ける浴槽側排水トラップ部３と、洗い場床パン２２からの排水を受ける洗い場側排水トラップ部８と、浴槽側排水トラップ部３に横引き接続される主排水管路７とで構成されている。
【００２０】
上記浴槽側排水トラップ部３は、有底筒状をしていてその側壁面に排水口３０が形成された外筒３１と、外筒３１の上開口を閉塞する天蓋部３２と、天蓋部３２から垂下されて外筒３１の内側に配設される封水内筒３３とで主体が構成されるもので、本実施形態では天蓋部３２と封水内筒３３は内筒部材５として一体に形成されると共に取付けリング４を介して外筒３１に取り付けられる。取付けリング４は、浴槽床パン２１の底面に形成した床パン排水口２３に嵌入される嵌入筒部４１と、嵌入筒部４１の上端部から外側に連設されるフランジ部４２とからなる。内筒部材５は、筒状をした封水内筒３３と、封水内筒３３の上開口に形成される天蓋部３２と、天蓋部３２から垂下される浴槽床パン排水用内筒３４（後述する）からなる。
【００２１】
外筒３１が浴槽床パン２１の床パン排水口２３の下方に配置され、床パン排水口２３の上方から嵌め込まれる取付けリング４の外周面に設けた外ネジ５ｂを外筒３１の上端内周面４１ａに設けた内ネジ３１ｃにねじ込むことにより、取付けリング４のフランジ部４２と外筒３１の上端に連設されるフランジ部とで床パン排水口２３の口縁部２３ａが挟持され、これにより外筒３１が床パン排水口２３に取り付けられた状態となる。
【００２２】
上記外筒３１内には、上述したように取付けリング４を介して封止水が貯留される内筒部材５が収納されている。外筒３１の底面３１ｂの複数箇所から上方に突出する同じ高さの凸部３７が突設されており、内筒部材５の封水内筒３３の下端が各凸部３７に載置されるようになっている。そして、封水内筒３３の下端と外筒３１の底面３１ｂとの間の間隙３５は、浴槽側排水トラップ部３の外筒３１の壁面に形成される排水口３０（図２、図４参照）に接続される出口管路部６に連通する連通部となっている。上記のように取付けリング４を外筒３１にネジ部５ｂ、３１ｃでねじ固定した際に、取付けリング４の嵌入筒部４１の内周面４１ａが内筒部材５の封水内筒３３の上端外周面５ａ（図７参照）に圧接して、内筒部材５が凸部３７に当接した状態で動かないように固定されると共に、内筒部材５の内側と外側とが完全に封止された状態となり、更に、後述するが浴槽床パン排水用内筒３４の先端部が外筒３１の排水口３０に接続される出口管路部６に沿って排水口３０より出口管路部６内に挿入される。このとき凸部３７は内筒部材５内の封水高さを決める基準となるもので、内筒部材５内の封水高さを常に一定にする働きをする。
【００２３】
天蓋部３２には、封水内筒３３内に対応する部分に浴槽排水の流入口３２ａと浴槽床パン排水の流入口３２ｂとを別々に形成してあると共に、天蓋部３２の前記浴槽床パン排水の流入口３２ｂの周縁からは浴槽床パン排水用内筒３４が垂下して設けてある。天蓋部３２の浴槽排水の流入口３２ａは浴槽１の排水口（特に図示せず）と連通接続される。また天蓋部３２の浴槽床パン排水の流入口３２ｂは、浴槽床パン２１の底面３１ｂ上に面するように配置される。これにより、浴槽１からの排水は浴槽排水の流入口３２ａより封水内筒３３内の空間（ただし浴槽床パン排水用内筒３４内の空間で、浴槽排水の流路３８）に流入して浴槽側排水トラップ部３の外筒３１内（封水内筒３３の内外）に溜まるようになり、浴槽床パン２１からの排水は浴槽床パン排水の流入口３２ｂより浴槽床パン排水用内筒３４内の空間（浴槽床パン排水の流路３９）に流入して外筒３１内に溜められるようになる。
【００２４】
さらに浴槽側排水トラップ部３内からの排水は、浴槽側排水トラップ部３の外筒３１の排水口３０に接続される出口管路部６を介して主排水管路７へと排出され、さらに建物の外部排水管（図示せず）に排出されるようになっている。なお出口管路部６と主排水管路７とは図４に示す互いに嵌合する嵌合接続部６ａ，６ｂを介して配管接続されている。
【００２５】
一方、洗い場側排水トラップ部８の構造は上記浴槽側排水トラップ部３と同様に二重筒構造となっており、対応する部分には同一符号を付して説明を省略し、異なる点を述べると、洗い場側排水トラップ部８の側面開口部８０は浴槽側排水トラップ部３の主排水管路７の一側面部７１に設けた流入部７２に一体に連結されており、洗い場床パン２２からの排水が内筒部材５に流れ込み、下端の連通部から洗い場側排水トラップ部８の側面開口部８０を介して浴槽側排水トラップ部３内に流入するようになっている。
【００２６】
ここで、浴槽側排水トラップ部３、洗い場側排水トラップ部８のそれぞれの封水は外筒３１内の所定高さまで溜まった水によって行われる。浴槽１及び浴槽床パン２１の各所からの排水は浴槽側排水トラップ部３内に一旦滞留してその後、排水トラップを溢れた水が横引き接続された出口管路部６から直線的に配置された主排水管路７へと排水されるようになる。一方洗い場床パン２２からの排水は洗い場側排水トラップ部８に一旦、滞留してその後、洗い場側排水トラップ部８を溢れた水が洗い場側排水トラップ部８の側面開口部８０から主排水管路７の流入部７２へと排水されるようになる。
【００２７】
このとき浴槽１側からの多量の排水が主排水管路７に急激に排水されても、主排水管路７は横方向Ａに直線的に延設されているので、洗い場側排水トラップ部８の側面開口部８０には主排水管路７からの吸引作用が強くかかることがなくなり、従って、洗い場側排水トラップ部８を封水していた水が一緒に主排水管路７に引き込まれるといった現象をなくすことができ、浴室使用者に不快感を抱かせるような空気流入音が発生することがない。
【００２８】
そして、本発明においては、浴槽床パン排水用内筒３４の先端部が外筒３１の排水口３０に接続される出口管路部６に沿ってこの出口管路部６内に挿入される。本実施形態では、浴槽床パン排水用内筒３４を可撓性を有する軟質部材で形成してあるが、少なくとも浴槽床パン排水用内筒３４の出口管路部６に挿入される部分を軟質部材で形成すればよい。
【００２９】
浴槽床パン排水用内筒３４は、天蓋部３２の浴槽床パン排水の流入口３２ｂの周縁から下方に向けて垂下され、途中で外筒３１の排水口３０の方に向けて略直角に屈曲されており、先端開口の向きが出口管路部６内でその流れの方向に沿った状態で配置される。本実施形態では排水口３０より出口管路部６内に挿入されて更に略直角に屈曲されている。
【００３０】
これにより、浴槽排水の流入口３２ａから流入した排水と浴槽床パン排水の流入口３２ｂから流入した排水とが合流する時の流れの方向を同じにして流れが妨げられないようにできて、排水効率が下がるのを防止することが可能となる。また、浴槽床パン排水用内筒３４を可撓性を有する軟質部材で形成したことで、浴槽床パン排水用内筒３４の先端部を排水口３０より出口管路部６内に挿入し易くなるものであり、また更に、上述したような内筒部材３を上方より取付けリング４を介して外筒３１に取り付け可能としたことで、浴槽床パン２１の下方に配置した外筒３１に浴槽床パン２１の上方よりその浴槽床パン排水用内筒３４の先端部を排水口３０に向けて押し込むことで取り付けが可能となる。
【００３１】
また本実施形態では、浴槽側排水トラップ部３と洗い場側排水トラップ部８とは横方向Ａに並設すると共に、浴槽側排水トラップ部３から排出される排水が流れる主排水管路７を横方向Ａに直線的に延設してある。これにより、排水トラップ全体の小型化、薄型化を図ることができ、従って、排水トラップ全体の設置スペースを小さくすることが容易となる。また浴槽側排水トラップ部３の主排水管路７は横方向Ａに直線的に延設すると共に、洗い場側排水トラップ部８からの排水を主排水管路７の一側面部７１に設けた流入部７２から流入させるようにしてある。これにより、浴槽１排水時に多量の浴槽１側の排水の流れを妨げるような抵抗力が発生しなくなる。つまり主排水管路７は横方向Ａに直線的に延びているため、従来のように排水管路の内面に激しく衝突して流れが乱されたりすることがなくなり、主排水管路７内の圧力損失を減らすことができる。従って、最も排水量の多い浴槽１の排水をスームズに行なうことができると同時に浴槽１の排水が洗い場側排水トラップ部８から洗い場床パン２２側に逆流したり、浴槽床パン２１側に逆流したりするのを防止できる。
【００３２】
また洗い場排水時には、洗い場側の排水が直線的な主排水管路７の一側面部７１から流入する。このとき洗い場側の排水は浴槽１側の排水と比較して排水量が少ないため、洗い場側の排水によって主排水管路７内の排水の流れが大きく乱されるようなことがなく、主排水管路７内のスームズな流れを保つことができる。従って、洗い場側の排水が停滞したり、洗い場床パン２２に水が一時的に滞留してしまうといった問題もなくすことができる。そのうえ本実施形態では浴槽側排水トラップ部３からの排水が一段低い出口管路部６を乗り越えて一段高い主排水管路７へと排出されるようにしたので、浴槽１側の排水の流速が出口管路部６で減じられるので、主排水管路７内の排水の流速を弱めることができ、従って、洗い場側の排水が主排水管路７内に流入するときに、大きな衝突が発生しなくなり、合流がスームズに行なわれるようになる。この結果、浴槽１側の排水及び洗い場側の排水をそれぞれスームズに排出できる構造となる。
【００３３】
また本実施形態では、浴槽側排水トラップ部３の主排水管路７の一側面部７１に洗い場側排水トラップ部８を一体に取り付けてあり、これにより、浴槽側排水トラップ部３と洗い場側排水トラップ部８と主排水管路７とを一体化して排水ユニットのコンパクト化が図られ、設置スペースを小さくできると共に、配管作業が容易となり、施工性が向上する。
【００３４】
また本実施形態では、浴槽側排水トラップ部３及び洗い場側排水トラップ部８において、上方が開口した容器状をした外筒３１を床パン排水口２３の下方に配置し、床パン排水口２３の上方から嵌め込まれる取付けリング４の外周面に設けた外ネジ５ｂを外筒３１に設けた内ネジ３１ｃにねじ込むことにより外筒３１が床パン排水口２３に取り付けられ、上記外筒３１内に、封止水が貯留される内筒部材５が収納され、外筒３１の底面３１ｂから上方に突出する凸部３７に内筒部材５の下端を載置すると共に、取付けリング４の内周面４１ａを内筒部材５の上端外周面５ａに圧接させている。ここで凸部３７は一定高さの複数の凸部３７からなり、各凸部３７の上面に内筒部材５の下端を当接させることで内筒部材５の高さが一定に揃えられている。従って、外筒３１の底を基準として内筒部材５内の封水高さを決めることができる。つまり、内筒部材５の下端の高さは外筒３１の底面３１ｂから突出する凸部３７の高さによって決まるので、内筒部材５内の封水高さを常に一定にできる。つまり、排水トラップの施工状態にかかわらず、封水高さが安定化すると共に、法律で決められた封水高さ（５０ｍｍ以上）の数値を確実にクリアできる。また浴槽１からの大量排水があった場合でも、洗い場側排水トラップ部８の封水切れを確実に防止できるので、空気流入音の発生を抑えて浴室使用者に不快感を抱かせないようにできる。
【００３５】
なお図１に示す実施形態では内筒部材５の下端側に主排水管路７に連通する連通部を形成するにあたって、外筒３１の底から立上がる凸部３７の相互間を連通部１７としているが、勿論これに限らず、例えば、内筒部材５の下端側の一部を穴状に切り欠して連通部１７としてもよいものである。
【図面の簡単な説明】
【００３６】
【図１】本発明の一実施形態の側面断面図である。
【図２】同上の排水ユニットの側面図である。
【図３】同上の排水ユニットの側面断面図である。
【図４】（ａ）は同上の排水ユニットを分解した平面図、（ｂ）は組み立て状態の平面図である。
【図５】同上の排水ユニットの斜視図である。
【図６】同上の排水ユニットの一部破断した斜視図である。
【図７】（ａ）（ｂ）（ｃ）は同上の内筒部材の平面図、斜視図、側面図である。
【符号の説明】
【００３７】
１    浴槽
２１  浴槽床パン
３    浴槽側排水トラップ部
３０  排水口
３１  外筒
３１ｂ  底面
３２  天蓋部
３２ａ  浴槽排水流入口
３２ｂ  浴槽床パン排水流入口
３３  封水内筒
３４  浴槽床パン排水用内筒
３５  間隙
３６  小間隙
６    出口管路部
【図１】
0004600336.tif 000002
【図２】
0004600336.tif 000003
【図３】
0004600336.tif 000004
【図４】
0004600336.tif 000005
【図５】
0004600336.tif 000006
【図６】
0004600336.tif 000007
【図７】
0004600336.tif 000008